(57)【特許請求の範囲】
【請求項１】
端子部材の接触端子部と電線とが内側に挿入される端子枠と、前記端子枠の内方に向かって先端部が前記端子枠に螺入可能な状態で設けられた端子ねじとを備え、前記端子ねじの前記先端部と前記先端部に対向する前記端子枠の内面との間に前記接触端子部が配置されるとともに、前記先端部と前記接触端子部との間に前記電線が配置され、前記端子ねじを前記端子枠に螺入することで、前記電線と前記接触端子部とを、前記端子ねじと前記端子枠との間で挟持するピラー端子であって、前記端子枠における端部よりも内方の領域を前記端子枠の内方に窪ませることにより、前記端子枠の内面における前記端子ねじの外周面に対向する部位に、前記端子ねじの前記外周面側に向かって突出する突起が形成され、
前記突起は、前記端子枠における前記電線の挿入方向において、前記端子枠に螺入された前記端子ねじに対向する位置からずらして形成されてなることを特徴とするピラー端子。
【請求項２】
前記端子ねじの前記先端部と前記電線との間に配置され、前記端子ねじに押されることで前記電線を前記接触端子部とで挟持する端子補助板を備えてなることを特徴とする請求項１記載のピラー端子。
【請求項３】
プラグの複数の接極子をそれぞれ受ける複数の刃受けばね部と、前記各刃受けばね部それぞれに電気的に接続された前記端子部材の前記接触端子部と前記電線とを挟持して電気的に接続する複数の端子とを備え、前記各端子それぞれが請求項１または請求項２記載の前記ピラー端子からなることを特徴とするコンセント。
【請求項４】
電流経路を開閉する接点装置と、前記接点装置に電気的に接続された前記端子部材の前記接触端子部と前記電線とを挟持して電気的に接続する複数の端子とを備え、前記各端子それぞれが請求項１または請求項２記載の前記ピラー端子からなることを特徴とするスイッチ。
【発明の詳細な説明】
【技術分野】
【０００１】
本発明は、ピラー端子、それを備えたコンセントおよびスイッチに関するものである。
【背景技術】
【０００２】
コンセントの刃受けと電線とを接続する接続端子として、ピラー端子が知られている（例えば、特許文献１）。この種のピラー端子は、ピラー端子の端子枠内に挿入された電線と接触端子部とを、端子ねじと端子枠とで挟持して、電線と接触端子部とが電気的に接続される。
【先行技術文献】
【特許文献】
【０００３】
【特許文献１】特開２００３−２４９２８２号公報
【発明の概要】
【発明が解決しようとする課題】
【０００４】
ところで、この種のピラー端子は、電線が端子ねじの外周面と端子枠の内面との間に入りやすい。特に、電線として、より線（複数の細線である導線を捻って形成した電線）を用いた場合、電線の芯材がばらけて端子ねじの外周面と端子枠の内面との間に入り、電線と接触端子部との間の安定した接触を確保しにくくなる。
【０００５】
本発明はこのような実情に鑑みてなされたものであり、その目的は、電線が端子ねじの外周面と端子枠の内面との間に入ることを抑制することが可能なピラー端子、それを備えたコンセントおよびスイッチを提供することにある。
【課題を解決するための手段】
【０００６】
本発明のピラー端子は、端子部材の接触端子部と電線とが内側に挿入される端子枠と、前記端子枠の内方に向かって先端部が前記端子枠に螺入可能な状態で設けられた端子ねじとを備え、前記端子ねじの前記先端部と前記先端部に対向する前記端子枠の内面との間に前記接触端子部が配置されるとともに、前記先端部と前記接触端子部との間に前記電線が配置され、前記端子ねじを前記端子枠に螺入することで、前記電線と前記接触端子部とを、前記端子ねじと前記端子枠との間で挟持するピラー端子であって、前記端子枠における端部よりも内方の領域を前記端子枠の内方に窪ませることにより、前記端子枠の内面における前記端子ねじの外周面に対向する部位に、前記端子ねじの前記外周面側に向かって突出する突起が形成され、前記突起は、前記端子枠における前記電線の挿入方向において、前記端子枠に螺入された前記端子ねじに対向する位置からずらして形成されてなることを特徴とする。
本願の別の発明のピラー端子は、端子部材の接触端子部と電線とが内側に挿入される端子枠と、前記端子枠の内方に向かって先端部が前記端子枠に螺入可能な状態で設けられた端子ねじとを備え、前記端子ねじの前記先端部と前記先端部に対向する前記端子枠の内面との間に前記接触端子部が配置されるとともに、前記先端部と前記接触端子部との間に前記電線が配置され、前記端子ねじを前記端子枠に螺入することで、前記電線と前記接触端子部とを、前記端子ねじと前記端子枠との間で挟持するピラー端子であって、前記端子枠における端部よりも内方の領域を前記端子枠の内方に窪ませることにより、前記端子枠の内面における前記端子ねじの外周面に対向する部位に、前記端子ねじの前記外周面側に向かって突出する突起が形成されてなることを特徴とする。
【０００８】
このピラー端子において、前記端子ねじの前記先端部と前記電線との間に配置され、前記端子ねじに押されることで前記電線を前記接触端子部とで挟持する端子補助板を備えてなることが好ましい。
【０００９】
本発明のコンセントは、プラグの複数の接極子をそれぞれ受ける複数の刃受けばね部と、前記各刃受けばね部それぞれに電気的に接続された前記端子部材の前記接触端子部と前記電線とを挟持して電気的に接続する複数の端子とを備え、前記各端子それぞれが前記ピラー端子からなることを特徴とする。
【００１０】
本発明のスイッチは、電流経路を開閉する接点装置と、前記接点装置に電気的に接続された前記端子部材の前記接触端子部と前記電線とを挟持して電気的に接続する複数の端子とを備え、前記各端子それぞれが前記ピラー端子からなることを特徴とする。
【発明の効果】
【００１１】
本発明のピラー端子においては、電線が端子ねじの外周面と端子枠の内面との間に入ることを抑制することが可能となる効果がある。
【００１２】
本発明のコンセントにおいては、電線が端子ねじの外周面と端子枠の内面との間に入ることを抑制することが可能なコンセントを提供することが可能となる効果がある。
【００１３】
本発明のスイッチにおいては、電線が端子ねじの外周面と端子枠の内面との間に入ることを抑制することが可能なスイッチを提供することが可能となる効果がある。
【図面の簡単な説明】
【００１４】
【図１】実施形態１のコンセントの分解斜視図である。
【図２】同上のコンセントの縦断面図である。
【図３】同上のコンセントにおける刃受け部の斜視図である。
【図４】同上のコンセントにおける刃受け部の正面図である。
【図５】同上のコンセントにおける刃受け部の側面図である。
【図６】同上のコンセントにおけるピラー端子の下面図である。
【図７】同上のコンセントにおけるピラー端子の端子枠を示す斜視図である。
【図８】比較のためのピラー端子の下面図である。
【図９】別例のコンセントにおけるピラー端子の正面図である。
【図１０】別例のコンセントにおけるピラー端子の下面図である。
【図１１】別例のコンセントにおけるピラー端子の端子補助板を示す斜視図である。
【図１２】比較のためのピラー端子の下面図である。
【図１３】実施形態２のコンセントにおけるピラー端子に関し、（ａ）は側面図、（ｂ）は（ａ）のＡ１−Ａ１概略断面図である。
【図１４】実施形態３のスイッチの斜視図である。
【図１５】同上のスイッチの縦断面図である。
【図１６】同上のスイッチにおける端子部の斜視図である。
【発明を実施するための形態】
【００１５】
（実施形態１）
以下、図１〜図７を参照して、本実施形態のコンセント１について説明する。なお、本実施形態のコンセント１は、複数の接極子が栓刃であるプラグと複数の接極子が丸ピンであるプラグとのいずれもが接続することができる。以降では、特に断らない限りは、コンセント１にプラグの栓刃が挿入される態様を想定して本実施形態を説明する。
【００１６】
コンセント１は、図１に示すように、同コンセント１の外枠を構成する収容ケース２と、プラグの一対の栓刃が接続される一対の端子部３，３と、同プラグの一対の栓刃それぞれが挿入される一対の差込口４，４を開閉する扉部５とを備えている。
【００１７】
以降では、説明の便宜上、コンセント１において、プラグの栓刃が挿入される方向を「下方」とし、この方向とは反対の方向を「上方」とする。また、説明の便宜上、コンセント１において、一対の端子部３，３の並設方向を「長手方向」とし、この長手方向および上下方向のいずれにも直交する方向を「幅方向」とする。
【００１８】
収容ケース２は、各端子部３の一部を収容するボディ１０と、ボディ１０に取り付けられるカバー１１と、ボディ１０とカバー１１とを係止する２つの係止部品１２とで構成されている。カバー１１には、一対の差込口４，４が設けられている。コンセント１の長手方向において、ボディ１０およびカバー１１の両側面には、２つの係合部１３がそれぞれ設けられている。ボディ１０の各係合部１３とカバー１１の各係合部１３は、カバー１１をボディ１０に取り付けたときにそれぞれ隣接するようになっている。各係止部品１２は、カバー１１をボディ１０に取り付けたときにそれぞれ隣接した各係合部１３に対応する位置に、２つの被係合部１２ａがそれぞれ設けられ、ボディ１０およびカバー１１の各係合部１３同士が互いに押圧するように各係合部１３それぞれに係合する。これにより、カバー１１とボディ１０とが確実に固定される。
【００１９】
扉部５は、各差込口４を開閉する一対の開閉体１４，１４と、一対の開閉体１４，１４を互いに近づく向きに付勢するコイルスプリングからなる一対のばね１５，１５と、一対の開閉体１４，１４を支持する支持部１６とで構成されている。コンセント１の長手方向に沿った各開閉体１４の長さはカバー１１におけるコンセント１の長手方向の内壁面間の長さと同程度の長さとされ、一対の開閉体１４，１４は、カバー１１の内側に一対の差込口４，４を閉鎖するように設けられている。各開閉体１４と、コンセント１の幅方向におけるカバー１１の両内側面との間にそれぞればね１５，１５が保持されている。コンセント１の幅方向の内面側には、各ばね１５，１５を受ける第１のばね受け部（図示せず）がそれぞれ設けられている。また、各開閉体１４は、上記第１のばね受け部に対向する位置に、各ばね１５を受ける第２のばね受け部１４ａがそれぞれ設けられている。したがって、各ばね１５が上記第１のばね受け部と第２のばね受け部１４ａとの間に保持されることで、各開閉体１４同士が互いに押圧するようになっている。支持部１６は、一対の開閉体１４，１４および一対のばね１５，１５を覆うようにカバー１１に取り付けられ、各開閉体１４の一部がコンセント１の幅方向にそれぞれ移動可能となる形で支持部１６に設けられた支持孔１６ａに挿入され一対の開閉体１４，１４を支持する。支持部１６には、一対の差込口４，４に対応する位置に一対の栓刃挿入口１７，１７が設けられている。
【００２０】
各端子部３は、プラグの栓刃および丸ピンが挿入可能な刃受け部１８と、電線５０（図６参照）と刃受け部１８とを電気的に接続するピラー端子１９とでそれぞれ構成されている。各刃受け部１８は、各差込口４に対応する位置にそれぞれ設けられている。各ピラー端子１９は、各刃受け部１８に対応する位置にそれぞれ設けられている。各ピラー端子１９は、刃受け部１８に設けられた接触端子部３２と電線５０とが内側に挿入される端子枠２０と、端子枠２０に取り付けられた端子ねじ２１とをそれぞれ備えている。
【００２１】
以下、図２を参照して、コンセント１の各差込口４、各開閉体１４および各刃受け部１８の位置関係について説明する。一対の差込口４，４はコンセント１の長手方向に並列して設けられている。各差込口４におけるコンセント１の下方側には、各開閉体１４がそれぞれ設けられている。一対の開閉体１４，１４は、プラグの栓刃が挿入されることにより一対のばね１５，１５のばね力に抗して互いに離れる向きに移動するように支持部１６に支持されている。各開閉体１４におけるコンセント１の下方側には、各刃受け部１８がそれぞれ設けられている。各刃受け部１８におけるコンセント１の下方側には、ピラー端子１９がそれぞれ設けられている。
【００２２】
ボディ１０には、ボディ１０におけるコンセント１の長手方向の中間部に設けられた隔壁２２により区切られた２つの端子収容室２３が設けられている。各端子収容室２３にそれぞれ収容された各端子部３は、隔壁２２により絶縁されている。各端子収容室２３には、刃受け部１８を収容する刃受け部収容室２４と、ピラー端子１９を収容するピラー端子収容室２５とがそれぞれ設けられている。
【００２３】
各ピラー端子収容室２５は、ボディ１０におけるコンセント１の下方側且つボディ１０におけるコンセント１の長手方向の半分の領域にそれぞれ設けられている。各ピラー端子収容室２５におけるコンセント１の下方側には、電線５０が挿通する電線挿通口２８がそれぞれ設けられている。各ピラー端子収容室２５におけるコンセント１の下方側には、端子枠２０が嵌り込む嵌合部２９がそれぞれ設けられている。また、各ピラー端子収容室２５におけるコンセント１の長手方向の端子ねじ２１側には、ドライバによる端子ねじ２１の回転を可能とするためのドライバ挿通口３０がそれぞれ設けられている。
【００２４】
以下、図３〜図５を参照して、刃受け部１８について説明する。
【００２５】
端子部材である刃受け部１８は、プラグの栓刃および丸ピンが挿入可能な刃受けばね部３１と、電線５０と電気的に接続する接触端子部３２と、刃受けばね部３１と接触端子部３２とを連結する連結部３３とで構成されている。刃受けばね部３１と接触端子部３２と連結部３３とは一体的なものであり、一つの部材から変形加工して形成されている。なお、ここでは、刃受けばね部３１においてプラグの丸ピンが挿入される軸を丸ピン軸Ｓ１とし、刃受けばね部３１においてプラグの栓刃が挿入される軸を栓刃軸Ｓ２とする。
【００２６】
刃受けばね部３１は、本体部３４と、プラグの丸ピンと接触する一対の丸ピン受けばね３５，３５と、プラグの栓刃と接触する１つの栓刃受けばね３６とで構成されている。本体部３４におけるコンセント１の幅方向の両側端には、一対の丸ピン受けばね３５，３５が対向するように形成されている。また、本体部３４におけるコンセント１の幅方向の側面のうち、ボディ１０の内側面側（図３では、右下側）に向かう側面に、連結部３３が設けられている。
【００２７】
一対の丸ピン受けばね３５，３５は、プラグの丸ピンが接触する丸ピン接触部３７の位置で互いが近づく方向に屈曲され、さらに丸ピン接触部３７の位置からコンセント１の上方側に向かうにつれて互いが離れる方向に屈曲されている。
【００２８】
栓刃受けばね３６は、プラグの栓刃が接触する栓刃接触部３８の位置で栓刃受けばね３６が一対の丸ピン受けばね３５，３５に近づく方向に屈曲され、さらに栓刃接触部３８の位置からコンセント１の上方側に向かうにつれて栓刃受けばね３６が一対の丸ピン受けばね３５，３５から離れる方向に屈曲されている。
【００２９】
次に、図６および図７を参照して、ピラー端子１９について説明する。
【００３０】
ピラー端子１９の端子枠２０は、図６に示すように、鉄板をプレス加工することにより四角枠状に成形されている。この端子枠２０は、内部空間がコンセント１の上下方向に貫通する周壁４０と、周壁４０におけるコンセント１の長手方向の外方の外方部４１をコンセント１の長手方向に貫通するとともにねじ加工されているねじ固定部４２とで構成されている。このねじ固定部４２は、バーリング加工によってコンセント１の長手方向の外方部４１側に向かって突出された円筒形状に形成されている。外方部４１は、周壁４０を構成する鉄板がコンセント１の長手方向に２枚重ねた状態にて形成されている。端子ねじ２１は、ねじ固定部４２にコンセント１の長手方向の外方部４１側から螺合されており、先端部２１ａを端子枠２０の内方に向かって螺入可能な状態で端子枠２０に設けられている。
【００３１】
端子枠２０の内側に、接触端子部３２および電線５０が挿入される。端子ねじ２１の先端部２１ａと、この先端部２１ａに対向する端子枠２０の内面である底面４３との間に接触端子部３２が配置されるとともに、先端部２１ａと接触端子部３２との間に電線５０が配置される。そして、端子ねじ２１を螺入することで電線５０と接触端子部３２とを、端子ねじ２１の先端部２１ａと端子枠２０の底面４３との間で挟持している。
【００３２】
接触端子部３２は、円弧状をなし、接触端子部３２におけるコンセント１の幅方向の両端部が端子ねじ２１側に向けて屈曲されている。端子枠２０の底面４３も円弧状をなし、接触端子部３２に沿う形で形成されている。接触端子部３２は、その一端にプラグの刃を受ける刃受けばね部３１が設けられたものであり、接触端子部３２と刃受けばね部３１とが一体のものとして構成されている（図３〜図５参照）。
【００３３】
端子枠２０におけるコンセント１の長手方向（端子ねじ２１の軸線５１に沿う方向）に延びる一対の側壁部４４，４４には、図７に示すように、端子枠２０の内方に窪んだ窪み４５がそれぞれ形成されている。各窪み４５は、端子枠２０におけるコンセント１の上下方向の端部４７よりも内方の領域にそれぞれ形成されたものである。即ち、各窪み４５は、端子枠２０におけるコンセント１の上下方向の一部を窪まして形成したものである。各窪み４５により端子枠２０の内面において内方に突出する突起４６がそれぞれ形成されている。各突起４６は、端子枠２０の内面における端子ねじ２１の外周面に対向する部位に、端子ねじ２１の外周面側に向かってそれぞれ突出されている。窪み４５（突起４６）は、矩形をなしている。
【００３４】
電線５０は、より線（複数の細線である導線を捻って形成した電線）を用いている。この場合、図８に示す比較例においては、電線５０と接触端子部３２とを挟持すべく端子ねじ２１を螺入した状態において、端子ねじ２１の外周面と端子枠２０の内面との間が電線５０の逃げる場所となり、電線５０の芯材５２がばらけて端子ねじ２１の外周面と端子枠２０の内面との間に入り、電線５０と接触端子部３２とが安定した接触にならない。これに対して、図６および図７に示した本実施形態のピラー端子１９については、端子枠２０の一部を凹状にすることにより、端子枠２０の内面における端子ねじ２１の外周面に対向する部位に、端子ねじ２１の外周面側に向かって突出する突起４６がそれぞれ形成されている。この突起４６をそれぞれ形成することによって、電線５０と接触端子部３２とを挟持すべく端子ねじ２１を螺入した状態において、電線５０が端子ねじ２１の外周面と端子枠２０の内面との間に入ることを抑制することができる。つまり、ばらけた電線５０の芯材５２が端子ねじ２１の外周面と端子枠２０の内面との間に逃げる量を減らすことができる。
【００３５】
突起４６における電線５０側の先端４６ａは、図６に示すように、電線５０と接触端子部３２とを挟持すべく端子ねじ２１を螺入した状態において、端子ねじ２１の外周面の先端２１ｂよりもねじ固定部４２側かつ近傍に位置している。この状態では、突起４６における電線５０側の先端４６ａによって、電線５０が端子ねじ２１の外周面と端子枠２０の内面との間に入ることを抑制することが可能となる。
【００３６】
以上説明した本実施形態によれば、ピラー端子１９は、端子枠２０におけるコンセント１の上下方向の端部４７よりも内方の領域を端子枠２０の内方に窪ませることによって、端子枠２０の内面における端子ねじ２１の外周面に対向する部位に、端子ねじ２１の外周面側に向かって突出する突起４６をそれぞれ形成することで、電線５０が端子ねじ２１の外周面と端子枠２０の内面との間に入ることを抑制することが可能となる。また、突起４６を形成するための窪み４５は端子枠２０におけるコンセント１の上下方向の端部４７よりも内方の領域に形成したので、突起４６となる窪み４５を端子枠２０に形成する加工が容易となる。詳しくは、窪み４５の一部分は平面が出しやすく、絞り加工を用いて容易に製造することができる。
【００３７】
また、本実施形態によれば、接触端子部３２は、その一端にプラグの刃を受ける刃受けばね部３１が設けられたものであり、接触端子部３２と刃受けばね部３１とが一体のものとして構成され一部材から形成されるので、複数の部材を接続して構成されるものに比べて接続工程等がなく、製造コストを低減することができる。
【００３８】
さらに、本実施形態によれば、プラグが挿抜されるコンセント１において、プラグの刃を受ける刃受けばね部３１に電気的に接続された接触端子部３２と電線５０とを、上述のピラー端子１９で電気的に接続することによって、電線５０が端子ねじ２１の外周面と端子枠２０の内面との間に入ることを抑制することが可能なコンセントを提供することが可能となり、電線５０と接触端子部３２との間の安定した接触を確保することが可能となる。
【００３９】
ところで、本実施形態は上述の記載に限定されるものではなく、例えば、次のように具体化してもよい。図６および図７に代わるピラー端子の構成としては、図９および図１０に示すように、電線（図示せず）を押圧する端子補助板６０をさらに備えた構成としてもよい。端子補助板６０は、端子ねじ２１の先端部２１ａと上記電線との間に配置され、端子ねじ２１により押されるものである。端子補助板６０は、図１１に示すように、端子枠２０におけるコンセント１の上下方向に延びる基部６１と、基部６１におけるコンセント１の上下方向の両端部からコンセント１の長手方向の端子ねじ２１側に向かい屈曲された一対の屈曲部６２，６２と、一対の屈曲部６２，６２から端子ねじ２１側に向かい延びる上方突起部６３と下方突起部６４とが設けられている。下方突起部６４は、周壁４０内に収納されるように形成され、上方突起部６３は、周壁４０の上面に当接されている。また、基部６１におけるコンセント１の幅方向の長さは、側壁部４４の内面に設けられた一対の突起４６，４６の間を通過可能な長さに形成されている。そして、端子ねじ２１の先端部２１ａと上記電線との間に配置された端子補助板６０が端子ねじ２１とともに移動して、端子補助板６０が上記電線を押圧する。そのため、上記電線と接触端子部３２との接触圧力が低下することを抑制することが可能となる。
【００４０】
より詳しく説明すると、図１２に示す比較例においては、電線６６がコンセント１の幅方向に移動する。つまり、接触端子部６５が平坦なため電線６６の位置を固定しにくい。即ち、端子ねじ２１で押し付けると電線６６が端子枠２０におけるコンセント１の幅方向の端の方に移動し、接触押圧が低下することで接触安定性が低くなる。
【００４１】
これに対して、図９および図１０に示す本実施形態のピラー端子においては、端子枠２０の内部における各突起４６と接触しない形で形成された端子補助板６０を備えており、これによって接触端子部６５と端子補助板６０とで上記電線を挟持することが可能となる。
【００４２】
したがって、図９および図１０に示すピラー端子によれば、端子ねじ２１の先端部２１ａと上記電線との間に配置され、端子ねじ２１に押されることで上記電線を接触端子部６５とで挟持する端子補助板６０を備えることによって、端子補助板６０が端子ねじ２１とともに移動して、この端子補助板６０が上記電線を押圧するので、上記電線と接触端子部６５との接触圧力が低下することを抑制することが可能となる。
【００４３】
（実施形態２）
本実施形態のピラー端子の基本構成は実施形態１と同じであり、図１３に示すように、各突起５５，５６（各窪み５３，５４）の配置が実施形態１と相違する。なお、実施形態１と同様の構成要素には同一の符号を付して説明を適宜省略する。
【００４４】
各突起５５，５６は、図１３に示すように、端子枠２０における一方の側壁部４４の内面に突起５５が配置されるとともに、他方の側壁部４４の内面に突起５６が配置されている。また、各突起５５，５６は、図１３（ｂ）に示すように、突起５５が、側壁部４４の内面におけるコンセント１の上方側に、端子ねじ２１の外周面に対向する位置からずらして配置され、突起５６が、側壁部４４の内面におけるコンセント１の下方側に、端子ねじ２１の外周面に対向する位置からずらして配置されている。つまり、各突起５５，５６は、端子枠２０における電線（図示せず）の挿入方向において、端子枠２０に螺入された端子ねじ２１に対向する位置からそれぞれずらして形成されている。
【００４５】
したがって、各突起５５，５６は、端子枠２０における上記電線の挿入方向において、端子枠２０に螺入された端子ねじ２１に対向する位置からそれぞれずらしてあるので、端子ねじ２１のねじ径を小さくすることが不要となる。また、各突起５５，５６は、図１３（ｂ）に示すように、突起５５を、側壁部４４の内面におけるコンセント１の上方側に、端子ねじ２１の外周面に対向する位置からずらして配置し、突起５６を、側壁部４４の内面におけるコンセント１の下方側に、端子ねじ２１の外周面に対向する位置からずらして配置しているので、上記電線が端子枠２０におけるコンセント１の上下方向のどちらからでも挿入可能となり、上記電線と接触端子部３２とを挟持すべく端子ねじ２１を螺入しているときに、上記電線が端子ねじ２１の外周面と端子枠２０の内面との間に巻き込まれることを抑制することが可能となる。
【００４６】
ここにおいて、突起５５，５６は、側壁部４４の両面に配置されているが、突起５５，５６はこれに限らず、上記電線がコンセント１の上下方向における上方側だけ挿入される場合は突起５５だけを配置し、上記電線がコンセント１の上下方向における下方側だけ挿入される場合は、突起５６だけを配置してもよい。また、本実施形態は上述の記載に限定されるものではなく、実施形態１と同様に、端子ねじ２１の先端部２１ａと上記電線との間に配置され、端子ねじ２１に押されることで上記電線を接触端子部６５とで挟持する端子補助板６０をさらに備えた構成としてもよい。さらに、実施形態１で説明したコンセントは、プラグの刃を受ける刃受けばね部３１に電気的に接続された接触端子部３２と電線５０とを、実施形態２で説明したピラー端子で電気的に接続してもよい。
【００４７】
（実施形態３）
次に、実施形態３を、図１４〜図１６を用いて実施形態１との相違点を中心に説明する。
【００４８】
本実施形態においては、ピラー端子を備えるスイッチ７０を具体化している。
【００４９】
スイッチ７０は、図１４および図１５に示すように、略直方体の箱状に形成された器体７１と、器体７１に収納される端子部７２（図１６参照）と、電力供給のオン状態およびオフ状態を押操作により切り替える操作部７３とにより構成されている。
【００５０】
以降では、説明の便宜上、スイッチ７０の長手方向に沿った方向を「左右方向」とし、スイッチ７０の短手方向に沿った方向を「前後方向」として、左右方向および前後方向に直交する方向を「上下方向」とする。また、説明の便宜上、左右方向および前後方向において、スイッチ７０の内部に向かう方向を「内方」とし、スイッチ７０から外部に向かう方向を「外方」とする。さらに、スイッチ７０の上下方向において、操作部７３が配置される側を「上方」とする。
【００５１】
器体７１は、スイッチ７０の上方側が開口する箱状のボディ７５と、このボディ７５に取り付けられるカバー７６とにより構成されている。ボディ７５には、第１の電線（図示せず）と第２の電線（図示せず）とを挿通する電線挿通孔７４が２つ設けられている。また、ボディ７５には、端子部７２が収納されている。
【００５２】
端子部７２は、図１６に示すように、上記第１の電線が電気的に接続される第１ピラー端子７７と、上記第２の電線が電気的に接続される第２ピラー端子７８等により構成されている。第１ピラー端子７７は、上記第１の電線と電気的に接続する接触端子部８０に接続される端子枠８１と、この端子枠８１に螺合する端子ねじ８２とを備えている。接触端子部８０は、端子部材である第１端子板７９に設けられている。第２ピラー端子７８は、上記第２の電線と電気的に接続する接触端子部８４に接続される端子枠８５と、この端子枠８５に螺合する端子ねじ８６とを備えている。接触端子部８４は、端子部材である第２端子板８３に設けられている。
【００５３】
端子枠８１は、金属板を屈曲することでスイッチ７０の上下方向に貫通した矩形形状に形成されている。この端子枠８１の一面には、端子ねじ８２が螺合されている。端子枠８１の内部には接触端子部８０と上記第１の電線とが配置され、端子ねじ８２を螺入することによって、接触端子部８０と上記第１の電線とが電気的に接続される。詳しくは、上記第１の電線は、ボディ７５の電線挿通孔７４に挿通され、端子枠８１の内部に挿通される。そして、この状態において端子ねじ８２を締め付けることで、接触端子部８０と上記第１の電線とが、端子ねじ８２の先端部と端子枠８１の内面との間に挟まれた状態で固定される。これにより、第１端子板７９と上記第１の電線とが電気的に導通するようになる。なお、第２ピラー端子７８も同様の構成であるとともに、第２端子板８３と上記第２の電線とが電気的に導通するようになる。
【００５４】
操作部７３は、図１５に示すように、使用者の押操作に伴い揺動するハンドル８７と、ハンドル８７に接続されるコイルばね８８と、電流経路を開閉するための開閉素子８９と、ハンドル８７を収納するハンドルカバー９０とにより構成されている。ハンドル８７はカバー７６の内部に収納されるようにカバー７６に取り付けられ、ハンドルカバー９０はカバー７６の一部を外部から覆うように取り付けられる。開閉素子８９は、ハンドル８７の揺動に伴い開閉動作を行う。なお、本実施形態では、開閉素子８９と、第１端子板７９と、第２端子板８３とで、電流経路を開閉する接点装置を構成している。
【００５５】
第２端子板８３は、図１５に示すように、Ｌ字形状に形成されるとともに接触端子部８４の下端部からスイッチ７０の左右方向の内方側に向かって延びる接触部９１が設けられている。この接触部９１は、第１端子板７９および開閉素子８９よりもスイッチ７０の下方側に配置され、接触部９１におけるスイッチ７０の上方側が開閉素子８９の下端部と接触している。そして、開閉素子８９の上端部に接続されたコイルばね８８は、常に下方に向かい付勢されている。
【００５６】
ハンドル８７の押操作によりスイッチがオン状態（図１５および図１６の状態）となるときには、開閉素子８９が第１端子板７９側に向かい傾くとともに第１端子板７９と接触する。これにより、第１端子板７９と第２端子板８３とが開閉素子８９を介して電気的に接続される。ハンドル８７の押操作によりスイッチがオフ状態となるときには、開閉素子８９が第１端子板７９から離れる方向に傾くとともに第１端子板７９と離間する。これにより、第１端子板７９と第２端子板８３との通電が遮断されるようになる。
【００５７】
ここで、第１ピラー端子７７と第２ピラー端子７８とは、実施形態１で説明した構成と同様の構成となっている。つまり、各端子枠８１,８５において、端子ねじ８２,８６の軸線方向に沿った一対の側壁部に、この側壁部におけるスイッチ７０の上下方向の端部よりも内方の領域で各端子枠８１,８５の内方に窪んだ各窪み９２がそれぞれ形成されている。この各窪み９２により各端子ねじ８２,８６の外周面側に向かって突出された各突起９３がそれぞれ形成されている。各突起９３は、各端子枠８１,８５の内面における各端子ねじ８２,８６の外周面に対向する部位にそれぞれ設けられている。
【００５８】
このようにして、電流経路を開閉するためのスイッチ７０では、開閉素子８９に電気的に接続され端子部材の各接触端子部８０，８４と上記各電線とを、実施形態１で説明したピラー端子で電気的に接続した。したがって、上記各電線が各端子ねじ８２,８６の外周面と各端子枠８１,８５の内面との間に入ることを抑制することが可能なスイッチを提供することが可能となり、上記各電線と各接触端子部８０,８４との間の安定した接触を確保することが可能となる。なお、スイッチ７０は、開閉素子８９に電気的に接続され端子部材の各接触端子部８０，８４と上記各電線とを、実施形態１で説明したピラー端子で電気的に接続しているが、スイッチ７０はこれに限らず、実施形態２で説明したピラー端子で電気的に接続してもよい。
【符号の説明】
【００５９】
１８  刃受け部（端子部材）
１９  ピラー端子
２０  端子枠
２１  端子ねじ
２１ａ  先端部
３１  刃受けばね部
３２  接触端子部
４６  突起
５０  電線
６０  端子補助板
【図１】
0005559627.tif 000002
【図２】
0005559627.tif 000003
【図３】
0005559627.tif 000004
【図４】
0005559627.tif 000005
【図５】
0005559627.tif 000006
【図６】
0005559627.tif 000007
【図７】
0005559627.tif 000008
【図８】
0005559627.tif 000009
【図９】
0005559627.tif 000010
【図１０】
0005559627.tif 000011
【図１１】
0005559627.tif 000012
【図１２】
0005559627.tif 000013
【図１３】
0005559627.tif 000014
【図１４】
0005559627.tif 000015
【図１５】
0005559627.tif 000016
【図１６】
0005559627.tif 000017